(57)【要約】【課題】  節電しながら最大限の広告効果を発揮することができる表示装置および表示方法を提供する。【解決手段】  制御用ＰＣ１０は、代表ディスプレイ２０Ａに表示画像を表示させ、実測された印加状態から画像ディスプレイ上画素点灯マップを生成させる。制御用ＰＣ１０は、生成された画像ディスプレイ上画素点灯マップに基づいて、総点灯率によって表される予想消費電力を算出し、算出した予想消費電力に基づいて、画像を表示するディスプレイ２０の数を決定する。画像を表示するディスプレイ２０の数は、ディスプレイ２０の総数に総点灯率を乗算した値の小数点以下を切り捨てた値で、その値が常時点灯ディスプレイ２０Ｊの数未満となるときは、常時点灯ディスプレイ２０Ｊの数である。制御用ＰＣ１０は、決定した数のディスプレイ２０に画像を表示して表示させる。【選択図】      図８
2013044816.tif 000002
【特許請求の範囲】
【請求項１】
画像を画面に表示する複数のディスプレイ装置と、
すべてのディスプレイ装置に同一の画像を表示させたときにすべてのディスプレイ装置で消費されると予想される予想消費電力を算出し、算出した予想消費電力に応じて、前記同一の画像を表示させるディスプレイ装置の数を決定し、決定した数のディスプレイ装置に前記同一の画像を送信して表示させる表示制御装置とを含むことを特徴とする表示装置。
【請求項２】
前記複数のディスプレイ装置は、前記予想消費電力とは関係なく前記同一の画像を送信して表示させる予め定める数のディスプレイ装置を含み、
前記表示制御装置は、前記予め定める数のディスプレイ装置を前記同一の画像を表示させるディスプレイ装置の決定した数に含めることを特徴とする請求項１に記載の表示装置。
【請求項３】
前記複数のディスプレイ装置は、それぞれの画面がすべて同一の方向に向けられ、画面に対して垂直方向に予め定める範囲内に設置され、
前記予め定める数のディスプレイ装置は、最も前に設置されているすべてのディスプレイ装置を含むことを特徴とする請求項２に記載の表示装置。
【請求項４】
前記予め定める数のディスプレイ装置は、前記複数のディスプレイ装置のうち、前記複数のディスプレイ装置を外囲する周辺上に設置されているすべてのディスプレイ装置を含むことを特徴とする請求項２に記載の表示装置。
【請求項５】
前記表示制御装置は、前記決定された数のディスプレイ装置を、前記複数のディスプレイ装置から、乱数を用いて選択すること特徴とする請求項１に記載の表示装置。
【請求項６】
前記表示制御装置は、前記複数のディスプレイ装置のうちの予め定める１台の代表ディスプレイ装置に、前記同一の画像を送信して表示させ、該代表ディスプレイ装置が前記同一の画像を表示しているときに消費している消費電力を表す消費電力情報を該代表ディスプレイ装置から受信し、受信した消費電力情報に基づいて、前記予想消費電力を算出することを特徴とする請求項１〜５のうちのいずれか１つに記載の表示装置。
【請求項７】
各ディスプレイ装置の画面は、複数の画素を含み、
前記消費電力情報は、前記同一の画像を前記代表ディスプレイ装置に表示させているときに、該代表ディスプレイ装置の画面に含まれる複数の画素のうち駆動されている画素を表す情報であることを特徴とする請求項６に記載の表示装置。
【請求項８】
画像を画面に表示する複数のディスプレイ装置と、該複数のディスプレイ装置に同一の画像を送信して表示させる表示制御装置とを含む表示装置で実行される表示方法であって、
すべてのディスプレイ装置に同一の画像を表示させたときにすべてのディスプレイ装置で消費されると予想される予想消費電力を算出する算出ステップと、
算出ステップで算出された予想消費電力に応じて、前記同一の画像を表示させるディスプレイ装置の数を決定する決定ステップと、
決定ステップで決定された数のディスプレイ装置に前記同一の画像を送信して表示させる表示ステップとを含むことを特徴とする表示方法。
【発明の詳細な説明】
【技術分野】
【０００１】
本発明は、節電を行うことができる表示装置および表示方法に関する。
【背景技術】
【０００２】
従来技術として、特許文献１に記載される表示制御装置がある。この表示制御装置は、節電モードで、表示オートオフ機能が無効指定されていると、ディスプレイユニットの複数の光源のうちの一部を消灯する。このように、ディスプレイ個別に節電技術が盛り込まれ、節電モードの設定状況に合わせて、光源、たとえばバックライトの一部消灯を行う技術が存在する。
【先行技術文献】
【特許文献】
【０００３】
【特許文献１】特開平６−１４９１７３号公報
【発明の概要】
【発明が解決しようとする課題】
【０００４】
しかしながら、バックライトの一部を消灯すると、消灯された部分のディスプレイの輝度やコントラスト比は低下する。ディスプレイの中には、たとえば、デジタルサイネージ等のように、外光下でも表示を視認することができることが必要条件であるディスプレイがある。上述した従来技術は、必ずしも、このようなディスプレイに適用することができるものではない。
【０００５】
発光ダイオード（Light Emitting Diode：以下「ＬＥＤ」という）をバックライト光源に使用した液晶ディスプレイの中には、局所的に調光するローカルディミングの手法によって、表示するコンテンツの色調に応じてバックライトを一部消灯し、節電を行うディスプレイが存在する。しかし、ＬＥＤをバックライト光源に利用している場合であっても、全体的に明るい色調のコンテンツが継続する場合には、ＬＥＤを長時間に亘って点灯することになり、その節電効果は必ずしも大きくない。
【０００６】
また、そもそも熱陰極管（Hot Cathode Fluorescent Tube：略称「ＨＣＦＴ」）あるいは冷陰極管（Cold Cathode Fluorescent Tube：略称「ＣＣＦＴ」）をバックライト光源とするディスプレイの場合には、本手法は用いることができない。
【０００７】
本発明の目的は、節電しながら最大限の広告効果を発揮することができる表示装置および表示方法を提供することである。
【課題を解決するための手段】
【０００８】
本発明は、画像を画面に表示する複数のディスプレイ装置と、
すべてのディスプレイ装置に同一の画像を表示させたときにすべてのディスプレイ装置で消費されると予想される予想消費電力を算出し、算出した予想消費電力に応じて、前記同一の画像を表示させるディスプレイ装置の数を決定し、決定した数のディスプレイ装置に前記同一の画像を送信して表示させる表示制御装置とを含むことを特徴とする表示装置である。
【０００９】
また本発明は、前記複数のディスプレイ装置は、前記予想消費電力とは関係なく前記同一の画像を送信して表示させる予め定める数のディスプレイ装置を含み、前記表示制御装置は、前記予め定める数のディスプレイ装置を前記同一の画像を表示させるディスプレイ装置の決定した数に含めることを特徴とする。
【００１０】
また本発明は、前記複数のディスプレイ装置は、それぞれの画面がすべて同一の方向に向けられ、画面に対して垂直方向に予め定める範囲内に設置され、
前記予め定める数のディスプレイ装置は、最も前に設置されているすべてのディスプレイ装置を含むことを特徴とする。
【００１１】
また本発明は、前記予め定める数のディスプレイ装置は、前記複数のディスプレイ装置のうち、前記複数のディスプレイ装置を外囲する周辺上に設置されているすべてのディスプレイ装置を含むことを特徴とする。
【００１２】
また本発明は、前記表示制御装置は、前記決定された数のディスプレイ装置を、前記複数のディスプレイ装置から、乱数を用いて選択すること特徴とする。
【００１３】
また本発明は、前記表示制御装置は、前記複数のディスプレイ装置のうちの予め定める１台の代表ディスプレイ装置に、前記同一の画像を送信して表示させ、該代表ディスプレイ装置が前記同一の画像を表示しているときに消費している消費電力を表す消費電力情報を該代表ディスプレイ装置から受信し、受信した消費電力情報に基づいて、前記予想消費電力を算出することを特徴とする。
【００１４】
また本発明は、各ディスプレイ装置の画面は、複数の画素を含み、
前記消費電力情報は、前記同一の画像を前記代表ディスプレイ装置に表示させているときに、該代表ディスプレイ装置の画面に含まれる複数の画素のうち駆動されている画素を表す情報であることを特徴とする。
【００１５】
また本発明は、画像を画面に表示する複数のディスプレイ装置と、該複数のディスプレイ装置に同一の画像を送信して表示させる表示制御装置とを含む表示装置で実行される表示方法であって、
すべてのディスプレイ装置に同一の画像を表示させたときにすべてのディスプレイ装置で消費されると予想される予想消費電力を算出する算出ステップと、
算出ステップで算出された予想消費電力に応じて、前記同一の画像を表示させるディスプレイ装置の数を決定する決定ステップと、
決定ステップで決定された数のディスプレイ装置に前記同一の画像を送信して表示させる表示ステップとを含むことを特徴とする表示方法である。
【発明の効果】
【００１６】
本発明によれば、複数のディスプレイ装置は、画像を画面に表示する。そして、表示制御装置は、すべてのディスプレイ装置に同一の画像を表示させたときにすべてのディスプレイ装置で消費されると予想される予想消費電力を算出し、算出した予想消費電力に応じて、前記同一の画像を表示させるディスプレイ装置の数を決定し、決定した数のディスプレイ装置に前記同一の画像を送信して表示させる。したがって、表示装置は、予想消費電力に応じて、画像を表示するディスプレイ装置の数を減少させて節電することができる。したがって、表示装置は、広告などの画像を表示する場合、節電しながら最大限の広告効果を発揮することができる。
【００１７】
また本発明によれば、前記複数のディスプレイ装置は、前記予想消費電力とは関係なく前記同一の画像を送信して表示させる予め定める数のディスプレイ装置を含む。そして、前記表示制御装置は、前記予め定める数のディスプレイ装置を前記同一の画像を表示させるディスプレイ装置の決定した数に含める。したがって、表示装置は、予想消費電力が増加しても、少なくとも予め定める数のディスプレイ装置に画像を表示するので、画像が表示されなくなることを回避することができる。
【００１８】
また本発明によれば、前記複数のディスプレイ装置は、それぞれの画面がすべて同一の方向に向けられ、画面に対して垂直方向に予め定める範囲内に設置され、前記予め定める数のディスプレイ装置は、最も前に設置されているすべてのディスプレイ装置を含む。したがって、表示装置は、視聴者の注意を引きやすい前側のディスプレイ装置に画像を表示する状態を維持ことができ、広告などの画像を表示する場合、広告効果の減少を最小限に抑えることができる。
【００１９】
また本発明によれば、前記予め定める数のディスプレイ装置は、前記複数のディスプレイ装置のうち、前記複数のディスプレイ装置を外囲する周辺上に設置されているすべてのディスプレイ装置を含む。したがって、表示装置は、視聴者の注意を引きやすい周縁のディスプレイ装置に画像を表示する状態を維持ことができ、広告などの画像を表示する場合、広告効果の減少を最小限に抑えることができる。
【００２０】
また本発明によれば、前記表示制御装置は、前記決定された数のディスプレイ装置を、前記複数のディスプレイ装置から、乱数を用いて選択する。したがって、表示装置は、画像を表示するディスプレイ装置が特定のディスプレイ装置に偏ることをなくし、各ディスプレイ装置の製品寿命を平均化することができる。
【００２１】
また本発明によれば、前記表示制御装置は、前記複数のディスプレイ装置のうちの予め定める１台の代表ディスプレイ装置に、前記同一の画像を送信して表示させ、該代表ディスプレイ装置が前記同一の画像を表示しているときに消費している消費電力を表す消費電力情報を該代表ディスプレイ装置から受信し、受信した消費電力情報に基づいて、前記予想消費電力を算出する。したがって、表示装置は、１台の代表ディスプレイ装置での実測に基づいて予想消費電力を算出することができ、予想消費電力が大きいか否かを正確に判断することができる。
【００２２】
また本発明によれば、各ディスプレイ装置の画面は、複数の画素を含む。そして、前記消費電力情報は、前記同一の画像を前記代表ディスプレイ装置に表示させているときに、該代表ディスプレイ装置の画面に含まれる複数の画素のうち駆動されている画素を表す情報である。したがって、表示装置は、駆動されている画素の数を集計するだけで、予想消費電力を算出することができ、予想消費電力の算出を簡単に行うことができる。
【００２３】
また本発明によれば、画像を画面に表示する複数のディスプレイ装置と、該複数のディスプレイ装置に同一の画像を送信して表示させる表示制御装置とを含む表示装置で画像を表示するにあたって、算出ステップでは、すべてのディスプレイ装置に同一の画像を表示させたときにすべてのディスプレイ装置で消費されると予想される予想消費電力を算出する。決定ステップでは、算出ステップで算出された予想消費電力に応じて、前記同一の画像を表示させるディスプレイ装置の数を決定する。そして、表示ステップでは、決定ステップで決定された数のディスプレイ装置に前記同一の画像を送信して表示させる。したがって、表示装置は、予想消費電力に応じて、画像を表示するディスプレイ装置の数を減少させて節電することができる。したがって、表示装置は、広告などの画像を表示する場合、節電しながら最大限の広告効果を発揮することができる。
【図面の簡単な説明】
【００２４】
【図１】本発明の一実施形態である表示システム１の構成を模式的に示す図である。
【図２】制御用ＰＣ１０の構成を示すブロック図である。
【図３】代表ディスプレイ２０Ａの構成を示す図である。
【図４】一般ディスプレイ２０Ｂの構成を示す図である。
【図５】画面を分割した領域を説明するための図である。
【図６】画面点灯率を説明するための図である。
【図７】画像の表示例を示す図である。
【図８】制御用ＰＣ１０が実行する節電制御処理の処理手順を示すフローチャートである。
【図９】代表ディスプレイ２０Ａが実行する初期処理の処理手順を示すフローチャートである。
【図１０】常時点灯ディスプレイ２０Ｊが実行する常時点灯表示処理の処理手順を示すフローチャートである。
【図１１】随時点灯ディスプレイ２０Ｋが実行する随時点灯表示処理の処理手順を示すフローチャートである。
【発明を実施するための形態】
【００２５】
図１は、本発明の一実施形態である表示システム１の構成を模式的に示す図である。表示システム１は、たとえば、デジタルサイネージなどの電子看板に用いられる表示装置である。表示システム１は、１台の制御用パーソナルコンピュータ（Personal Computer：以下「ＰＣ」という）１０、複数のディスプレイ２０、およびネットワーク２を含んで構成される。制御用ＰＣ１０と複数のディスプレイ２０とは、ネットワーク２によって接続される。
【００２６】
表示制御装置である制御用ＰＣ１０は、すべてのディスプレイ２０に同一の画像を表示させたときにすべてのディスプレイ２０で消費されると予想される予想消費電力を算出し、算出した予想消費電力に基づいて、前記同一の画像を送信して表示させるディスプレイ２０の数を決定し、決定した数のディスプレイ２０に、ネットワーク２を介して、前記同一の画像を送信して表示させる。ディスプレイ２０は、ディスプレイ装置である。
【００２７】
また、制御用ＰＣ１０は、ネットワーク２を介して、点灯リクエストをディスプレイ２０に送信することによって、ディスプレイ２０のバックライトあるいは画面を点灯させ、ネットワーク２を介して、消灯リクエストをディスプレイ２０に送信することによって、ディスプレイ２０のバックライトあるいは画面を消灯させる。ネットワーク２は、たとえばローカルエリアネットワーク（Local Area Network：以下「ＬＡＮ」という）、あるいはワイドエリアネットワーク（Wide Area Network：以下「ＷＡＮ」という）などのネットワークによって構成される。
【００２８】
図２は、制御用ＰＣ１０の構成を示すブロック図である。制御用ＰＣ１０は、ＰＣ表示部１１、ＰＣ入力部１２、ＰＣ制御部１３、ＰＣ通信制御部１４、ＰＣ通信Ｉ／Ｆ部１５およびＰＣ記憶部１６を含んで構成される。
【００２９】
ＰＣ表示部１１は、たとえば液晶ディスプレイ（Liquid Crystal Display：以下「ＬＣＤ」という）、プラズマディスプレイパネル（Plasma Display Panel：以下「ＰＤＰ」という）、あるいはエレクトロルミネセンス（Electro-Luminescence：以下「ＥＬ」という）などによって構成される。ＰＣ表示部１１は、ＰＣ制御部１３から受け取る情報を表示する。以下、ＰＣ表示部１１がＬＣＤによって構成される場合を中心に説明する。
【００３０】
ＰＣ入力部１２は、たとえばタッチパネル、キーボード（Keyboard：以下「ＫＢＤ」という）、あるいはマウスなどの入力装置によって構成される。ＰＣ入力部１２は、入力された情報をＰＣ制御部１３に送る。
【００３１】
ＰＣ制御部１３は、たとえば中央処理装置（Central Processing Unit：以下「ＣＰＵ」という）によって構成され、ＰＣ記憶部１６に記憶されるプログラムを実行することによって、ＰＣ表示部１１、ＰＣ入力部１２、およびＰＣ通信制御部１４を制御する。
【００３２】
ＰＣ通信制御部１４は、ＰＣ通信Ｉ／Ｆ部１５およびネットワーク２を介して、ディスプレイ２０と情報の送受信を行う通信装置である。ＰＣ通信制御部１４は、ＰＣ制御部１３から受け取る情報をディスプレイ２０に送信し、ディスプレイ２０から受信する情報をＰＣ制御部１３に送る。ＰＣ通信Ｉ／Ｆ部１５は、有線通信であれば、ネットワーク２を形成するケーブルを接続するコネクタによって構成され、無線通信であれば、電波を送受信するアンテナ、もしくは光を送受信する光発光部および光受信部によって構成される。
【００３３】
ＰＣ記憶部１６は、たとえば半導体メモリあるいはハードディスク装置などの記憶装置によって構成される。ＰＣ記憶部１６は、ＰＣ制御部１３によって実行されるプログラム、およびＰＣ制御部１３がプログラムを実行するために必要な情報を記憶する。ＰＣ記憶部１６に記憶される情報は、ＰＣ制御部１３によって書き込みおよび読み出しが行われる。
【００３４】
ＰＣ記憶部１６は、設置枚数記憶部１６１、画面内領域数記憶部１６２、領域内構成画素数記憶部１６３、例外点灯枚数記憶部１６４、例外点灯ディスプレイ番号記憶部１６５、表示画像ＰＣ記憶部１６６および画像ディスプレイ上画素点灯マップＰＣ記憶部１６７を含む。設置枚数記憶部１６１、画面内領域数記憶部１６２、領域内構成画素数記憶部１６３、例外点灯枚数記憶部１６４、例外点灯ディスプレイ番号記憶部１６５、表示画像ＰＣ記憶部１６６および画像ディスプレイ上画素点灯マップＰＣ記憶部１６７は、それぞれＰＣ記憶部１６の記憶領域の一部である。
【００３５】
設置枚数記憶部１６１は、設置枚数を記憶する。設置枚数は、表示システム１に含まれるディスプレイ２０の数、すなわち、表示システム１として設置されているディスプレイ２０の数を表す情報である。換言すると、設置枚数は、表示システム１に含まれるディスプレイ２０の画面の枚数を表す情報である。
【００３６】
画面内領域数記憶部１６２は、画面内領域数を記憶する。画面内領域数は、１つの画面を複数の領域に分割したときの領域の数を表す情報である。領域内構成画素数記憶部１６３は、領域内構成画素数を記憶する。領域内構成画素数は、１つの領域を構成する画素の数を表す情報である。
【００３７】
例外点灯枚数記憶部１６４は、例外点灯枚数を記憶する。予め定める数である例外点灯枚数は、予想消費電力とは独立に、つまり、予想消費電力とは関係なく、必ず画像を表示するディスプレイ２０の数を表す情報である。換言すると、例外的に必ず画像を表示して、点灯する画面の枚数を表す情報である。例外点灯ディスプレイ番号記憶部１６５は、例外点灯ディスプレイ番号を記憶する。例外点灯ディスプレイ番号は、予想消費電力とは独立に、つまり、予想消費電力とは関係なく、必ず画像を表示するディスプレイ２０のディスプレイ番号である。ディスプレイ番号は、各ディスプレイ２０を識別するための識別情報を表す情報であり、たとえば各ディスプレイ２０に予め付与される番号によって表される。
【００３８】
表示画像ＰＣ記憶部１６６は、表示画像を記憶する。表示画像は、ディスプレイ２０に表示させる画像を表す情報である。画像ディスプレイ上画素点灯マップＰＣ記憶部１６７は、画像ディスプレイ上画素点灯マップを記憶する。消費電力情報である画像ディスプレイ上画素点灯マップは、表示画像を後述する代表ディスプレイ２０Ａに表示させているときに、代表ディスプレイ２０Ａの画面に含まれる複数の画素の印加状態をマップにして表す情報である。換言すると、画像ディスプレイ上画素点灯マップは、代表ディスプレイ２０Ａが画像を表示しているときに消費している消費電力を表す情報である。印加状態は、複数の画素のそれぞれに電圧が印加されている状態であるのか、印加されていない状態であるのかを表す。以下、電圧が印加されていることを駆動されている、電圧が印加されていないことを駆動されていないともいう。
【００３９】
図３は、代表ディスプレイ２０Ａの構成を示す図である。複数のディスプレイ２０は、１台の代表ディスプレイ２０Ａと、代表ディスプレイ２０Ａを除く残余の一般ディスプレイ２０Ｂとによって構成される。代表ディスプレイ装置である代表ディスプレイ２０Ａは、予想消費電力を算出するために、画像を表示したときの消費電力を実測するためのディスプレイ２０である。
【００４０】
制御用ＰＣ１０は、画像を代表ディスプレイ２０Ａに送信して表示させる。代表ディスプレイ２０Ａは、その画像を表示しているときに消費している消費電力を実測し、実測した消費電力を表す消費電力情報を制御用ＰＣ１０に送信する。制御用ＰＣ１０は、消費電力情報に基づいて予想消費電力を算出する。
【００４１】
代表ディスプレイ２０Ａは、ディスプレイ表示部２１、ディスプレイ表示制御部２２、ディスプレイ入力部２３、ディスプレイ制御部２４、ディスプレイ通信制御部２５、ディスプレイ通信Ｉ／Ｆ部２６およびディスプレイ記憶部２７を含んで構成される。
【００４２】
ディスプレイ表示部２１は、たとえばＬＣＤ、ＰＤＰ、あるいはＥＬなどによって構成され、画像を表示する画面を有する。画面は、複数の画素によって構成される。ディスプレイ表示部２１は、ディスプレイ表示制御部２２から受け取る情報を表示する。
【００４３】
ディスプレイ表示制御部２２は、ディスプレイ表示部２１を制御する。ディスプレイ表示制御部２２は、ディスプレイ制御部２４から受け取る情報をディスプレイ表示部２１に送って表示させ、また、ディスプレイ制御部２４からの指示によって、ディスプレイ表示部２１のバックライトあるいは画面の点灯および消灯を制御する。さらに、ディスプレイ表示制御部２２は、ディスプレイ表示部２１から印加状態を表す印加状態情報を取得し、取得した印加状態情報をディスプレイ制御部２４に送る。具体的には、たとえば、各画素が薄膜トランジスタ（Thin Film Transistor：以下「ＴＦＴ」という）によって構成されている場合、各画素を駆動するＬＣＤドライバは、どのＴＦＴに電圧を印加するのか、どのＴＦＴに電圧を印加しないのかという制御を行っている。ディスプレイ表示制御部２２は、ディスプレイ表示部２１に含まれるＬＣＤドライバから印加状態情報を取得することができる。
【００４４】
ディスプレイ入力部２３は、たとえばタッチパネル、ＫＢＤ、あるいはマウスなどの入力装置によって構成される。ディスプレイ入力部２３は、入力された情報をディスプレイ制御部２４に送る。ディスプレイ制御部２４は、たとえばＣＰＵによって構成され、ディスプレイ記憶部２７に記憶されるプログラムを実行することによって、ディスプレイ表示制御部２２、ディスプレイ入力部２３、およびディスプレイ通信制御部２５を制御する。
【００４５】
ディスプレイ通信制御部２５は、ディスプレイ通信Ｉ／Ｆ部２６およびネットワーク２を介して、制御用ＰＣ１０と情報の送受信を行う通信装置である。ディスプレイ通信制御部２５は、ディスプレイ制御部２４から受け取る情報を制御用ＰＣ１０に送信し、制御用ＰＣ１０から受信する情報をディスプレイ制御部２４に送る。ディスプレイ通信Ｉ／Ｆ部２６は、有線通信であれば、ネットワーク２を形成するケーブルを接続するコネクタによって構成され、無線通信であれば、電波を送受信するアンテナ、もしくは光を送受信する光発光部および光受信部によって構成される。
【００４６】
ディスプレイ記憶部２７は、たとえば半導体メモリあるいはハードディスク装置などの記憶装置によって構成される。ディスプレイ記憶部２７は、ディスプレイ制御部２４によって実行されるプログラム、およびディスプレイ制御部２４がプログラムを実行するために必要な情報を記憶する。ディスプレイ記憶部２７に記憶される情報は、ディスプレイ制御部２４によって書き込みおよび読み出しが行われる。ディスプレイ記憶部２７は、画像ディスプレイ上画素点灯マップディスプレイ記憶部１７１、ＴＦＴ印加状態記憶部１７２、表示画像ディスプレイ記憶部１７３およびスケーラ１７４を含む。画像ディスプレイ上画素点灯マップディスプレイ記憶部１７１、ＴＦＴ印加状態記憶部１７２、および表示画像ディスプレイ記憶部１７３は、それぞれディスプレイ記憶部２７の記憶領域の一部である。
【００４７】
画像ディスプレイ上画素点灯マップディスプレイ記憶部１７１は、画像ディスプレイ上画素点灯マップを記憶する。画像ディスプレイ上画素点灯マップは、画像ディスプレイ上画素点灯マップＰＣ記憶部１６７に記憶される画像ディスプレイ上画素点灯マップと同じ情報である。
【００４８】
ＴＦＴ印加状態記憶部１７２は、ＴＦＴ印加状態を記憶する。ＴＦＴ印加状態は、ＴＦＴを制御するＬＣＤドライバから取得した印加状態情報である。ディスプレイ制御部２４は、ＴＦＴ印加状態記憶部１７２に記憶されるＴＦＴ印加状態に基づいて、画像ディスプレイ上画素点灯マップを生成し、生成した画像ディスプレイ上画素点灯マップを画像ディスプレイ上画素点灯マップディスプレイ記憶部１７１に記憶する。表示画像ディスプレイ記憶部１７３は、表示画像を記憶する。表示画像は、ネットワーク２を介して、制御用ＰＣ１０から、ディスプレイ通信制御部２５によって受信した表示画像の情報である。
【００４９】
スケーラ１７４は、制御用ＰＣ１０から受信した表示画像を、代表ディスプレイ２０Ａの画面のサイズ（以下「画面サイズ」ともいう）に合わせて、拡大または縮小するためのプログラムである。たとえば、制御用ＰＣ１０から受信した表示画像が、縦横１６×９画素の画像であり、代表ディスプレイ２０Ａの画面サイズが縦横１９２０×１０８０画素であるとき、スケーラ１７４は、制御用ＰＣ１０から受信した表示画像を、縦横とも１２０倍に拡大する。本実施形態では、スケーラ１７４をディスプレイ記憶部２７に記憶されるプログラムによって実現しているが、制御用ＰＣ１０から受信した表示画像を、代表ディスプレイ２０Ａの画面サイズに合わせて、拡大または縮小する機能を実装したハードウエアによって実現してもよい。
【００５０】
図４は、一般ディスプレイ２０Ｂの構成を示す図である。一般ディスプレイ２０Ｂは、ディスプレイ表示部２１、ディスプレイ表示制御部２２、ディスプレイ入力部２３、ディスプレイ制御部２４、ディスプレイ通信制御部２５、ディスプレイ通信Ｉ／Ｆ部２６およびディスプレイ記憶部２７を含んで構成される。
【００５１】
ディスプレイ表示部２１、ディスプレイ表示制御部２２、ディスプレイ入力部２３、ディスプレイ制御部２４、ディスプレイ通信制御部２５、ディスプレイ通信Ｉ／Ｆ部２６およびディスプレイ記憶部２７は、図３に示した代表ディスプレイ２０Ａのディスプレイ表示部２１、ディスプレイ表示制御部２２、ディスプレイ入力部２３、ディスプレイ制御部２４、ディスプレイ通信制御部２５、ディスプレイ通信Ｉ／Ｆ部２６およびディスプレイ記憶部２７と同じ参照符を付して、以下相違する部分を中心に説明する。
【００５２】
ディスプレイ表示制御部２２は、ディスプレイ制御部２４から受け取る情報をディスプレイ表示部２１に送って表示させ、また、ディスプレイ制御部２４からの指示によって、ディスプレイ表示部２１のバックライトあるいは画面の点灯および消灯を制御する。
【００５３】
ディスプレイ記憶部２７は、たとえば半導体メモリあるいはハードディスク装置などの記憶装置によって構成される。ディスプレイ記憶部２７は、ディスプレイ制御部２４によって実行されるプログラム、およびディスプレイ制御部２４がプログラムを実行するために必要な情報を記憶する。ディスプレイ記憶部２７に記憶される情報は、ディスプレイ制御部２４によって書き込みおよび読み出しが行われる。ディスプレイ記憶部２７は、表示画像ディスプレイ記憶部１７３を含む。表示画像ディスプレイ記憶部１７３は、図３に示した代表ディスプレイ２０Ａの表示画像ディスプレイ記憶部１７３と同じであり、同じ参照符を付して説明は省略する。
【００５４】
図５は、画面を分割した領域を説明するための図である。制御用ＰＣ１０は、予想消費電力を算出するために、ディスプレイ表示部２１の画面を複数の領域、たとえば１０個の領域Ａ〜Ｊに等分に分割する。領域の数（以下「領域数」という）は、構築する表示システム１のシステム構成に応じて決定される。領域数は、画面内領域数記憶部１６２に画面内領域数として記憶されている。
【００５５】
図６は、画面点灯率を説明するための図である。図６（ａ）は、領域Ａの画素を示している。ディスプレイ２０の画面は、複数の画素から構成される。複数の画素は、複数の赤色（以下「Ｒ」という）の画素２１１、複数の緑色（以下「Ｇ」という）の画素２１２、および複数の青色（以下「Ｂ」という）の画素２１３を含んで構成される。隣接する１個のＲの画素２１１、１個のＧの画素２１２、および１個のＢの画素２１３によって、１組の画素が形成される。１組の画素に含まれる各Ｒ，Ｇ，Ｂの画素２１１〜２１３にそれぞれ電圧を印加するか否かによって、１組のＲ，Ｇ，Ｂの画素２１１〜２１３によって表される色が変化する。
【００５６】
ディスプレイ２０の画面が、たとえば縦横１９２０×１０８０画素であるという場合、１９２０×１０８０組の画素からなるということである。したがって、Ｒ，Ｇ，Ｂの画素２１１〜２１３それぞれを１個とすると、ディスプレイ２０の画面は、１９２０×１０８０×３個の画素から構成されることになる。各領域は、１９２０×１０８０×３÷１０個の画素から構成される。以下、各領域を構成する画素の数を、領域内構成画素数という。この場合、領域内構成画素数は、６２２，０８０個である。領域内構成画素数は、領域内構成画素数記憶部１６３に記憶されている。
【００５７】
制御用ＰＣ１０は、表示画像ＰＣ記憶部１６６に記憶されている表示画像（以下「画像」ともいう）を読み出し、読み出した画像を代表ディスプレイ２０Ａに送信するとともに、画像ディスプレイ上画素点灯マップの作成リクエストを送信する。代表ディスプレイ２０Ａは、受信した画像を表示し、実測した印加状態に基づいて、画像ディスプレイ上画素点灯マップを生成し、生成した画像ディスプレイ上画素点灯マップを制御用ＰＣ１０に送信する。制御用ＰＣ１０は、受信した画像ディスプレイ上画素点灯マップを画像ディスプレイ上画素点灯マップＰＣ記憶部１６７に記憶する。
【００５８】
画像ディスプレイ上画素点灯マップは、各画素に電圧が印加されているか否かを各画素の座標ごとに表す情報である。画像ディスプレイ上画素点灯マップでは、各画素の座標を、ディスプレイ２０の画面に向かって、画面の左上を原点とし、右方向をＸ軸の正方向、下方向をＹ軸の正方向とするＸＹ座標で表し、Ｒの画素２１１の座標をＲ（Ｘ，Ｙ）、Ｇの画素２１２の座標をＧ（Ｘ，Ｙ）、Ｂの画素２１３の座標をＢ（Ｘ，Ｙ）で表わし、画素に電圧を印加している状態を「１」、画素に電圧を印加していない状態を「０」とする。
【００５９】
たとえば、代表ディスプレイ２０Ａが、座標（０，０）のＲの画素２１１に電圧を印加している状態であり、Ｇの画素２１２に電圧を印加していない状態であり、Ｂの画素２１３に電圧を印加していない状態であり、座標（１，０）のＲの画素２１１に電圧を印加している状態であり、Ｇの画素２１２に電圧を印加している状態であり、Ｂの画素２１３に電圧を印加している状態・・・、であるとき、画像ディスプレイ上画素点灯マップでは、Ｒ（０，０）＝１、Ｇ（０，０）＝０、Ｂ（０，０）＝０、Ｒ（１，０）＝１、Ｇ（１，０）＝１、Ｂ（１，０）＝１、・・・と表わされる。
【００６０】
デジタルサイネージ用のディスプレイ２０は、通常ノーマリブラックである。すなわち、すべての画素に電圧が印加されているとき、白表示であり、すべての画素に電圧が印加されていないとき、黒表示である。ディスプレイ２０がＬＣＤによって構成される場合を例にして説明しているが、ＲＧＢの画素を持つＰＤＰや、アクティブマトリクス駆動の有機ＥＬでも同様の方式を使用することが可能である。
【００６１】
次に、制御用ＰＣ１０は受信した画像ディスプレイ上画素点灯マップに基づいて、領域Ａ〜Ｊごとに、領域内点灯比率を算出する。領域内点灯比率は、領域Ａ〜Ｊ内でどの程度の画素が点灯しているかを示す比率であり、領域内点灯画素数を領域内構成画素数で除算した値で表される。領域内点灯画素数は、各領域Ａ〜Ｊで電圧が印加されている画素の数である。制御用ＰＣ１０は、受信した画像ディスプレイ上画素点灯マップから、領域Ａ〜Ｊごとに、電圧が印加されている画素の数を集計し、集計した数を領域内点灯画素数とする。たとえば、真っ白な画像を表示する場合、Ｒ，Ｇ，Ｂのすべての画素２１１〜２１３を点灯するので、領域内点灯比率は「１．０」となる。続いて、制御用ＰＣ１０は、各領域Ａ〜Ｊの領域内点灯比率に基づいて、画面点灯率を算出する。
【００６２】
図６（ｂ）は、各領域Ａ〜Ｊの領域内点灯比率（図では、「点灯比率」という）を示す図である。画面点灯率は、画面全体の画素がどの程度点灯しているかを示す比率であり、各領域Ａ〜Ｊの領域内点灯比率の合計を、画面内領域数で除算した値である。画面内領域数は、画面を分割した領域の数であり、画面内領域数記憶部１６２に記憶されている。真っ白な画像を表示する場合、図６（ｂ）に示すように、領域Ａ〜Ｊのいずれの領域の領域内点灯比率も「１．０」である。したがって、この場合、画面点灯率は、「１．０」となる。
【００６３】
次に、制御用ＰＣ１０は、総点灯率を算出する。総点灯率は、各ディスプレイ２０の画面点灯率をそれぞれ「１」から減算した値の総和を、設置枚数で除算した値である。本実施形態では、各ディスプレイ２０の画面点灯率は、代表ディスプレイ２０Ａの画面点灯率と同じであるので、総点灯率は、「１」から代表ディスプレイ２０Ａの画面点灯率を減算した値である。
【００６４】
さらに、制御用ＰＣ１０は、予想消費電力に基づいて、画像を送信して表示させるディスプレイ２０の数を決定する。本実施形態では、総点灯率によって予想消費電力を表す。換言すると、制御用ＰＣ１０は、総点灯率に基づいて、画像を送信して表示させるディスプレイ２０の数を決定する。
【００６５】
表示システム１では、常時、画像を表示するディスプレイ２０を、常時点灯ディスプレイ２０Ｊとして、予め定めている。具体的には、常時点灯ディスプレイ２０Ｊは、例外点灯ディスプレイ番号記憶部１６５に記憶される例外点灯ディスプレイ番号で識別されるディスプレイ２０である。随時点灯ディスプレイ２０Ｋは、常時点灯ディスプレイ２０Ｊを除く残余のディスプレイ２０である。また、常時点灯ディスプレイ２０Ｊの数は、例外点灯枚数記憶部１６４に、例外点灯枚数として記憶されている。
【００６６】
常時点灯ディスプレイ２０Ｊは、たとえばそれぞれの画面がすべて同一の方向に向けられ、画面に向かって前後方向に予め定める範囲内に設置される場合、最も前に設置されているディスプレイ２０とされる。予め定める範囲は、システム構成に応じて決定される範囲である。また、常時点灯ディスプレイ２０Ｊは、たとえばすべてのディスプレイ２０のうち、すべてのディスプレイ２０を外囲する周辺上に設置されているディスプレイ２０とされる。
【００６７】
常時点灯ディスプレイ２０Ｊを除いて、画像を送信して表示させるディスプレイ２０の数は、ディスプレイ２０の総数に総点灯率を乗算した値から、常時点灯ディスプレイ２０Ｊの数を減算した値が０以上の場合は、前記減算した値の小数点以下の値を切捨てた値であり、前記減算した値が０未満のときは、「０」である。本実施形態では、小数点以下の値を切捨てているが、四捨五入してもよいし、切り上げてもよい。
【００６８】
たとえば、ディスプレイ２０の総数が「２０」であり、常時点灯ディスプレイ２０Ｊの数が「２」であるとき、総点灯率が「１」の場合は、常時点灯ディスプレイ２０Ｊを除いて、画像を表示させるディスプレイ２０の数は、２０×１−２＝１８台である。また、総点灯率が「０」の場合は、２０×０−２＝−２となるので、常時点灯ディスプレイ２０Ｊを除いて、画像を表示させるディスプレイ２０の数は、０台である。
【００６９】
制御用ＰＣ１０は、常時点灯ディスプレイ２０Ｊ以外に画像を送信して表示させるディスプレイ２０が１台以上ある場合、その１台以上のディスプレイ２０を、常時点灯ディスプレイ２０Ｊ以外のどのディスプレイ２０にするかを、予め定めるアルゴリズムに基づいて選択する。予め定めるアルゴリズムは、たとえば乱数を用いて、ランダムに選択するというアルゴリズムである。
【００７０】
図７は、画像の表示例を示す図である。図７に示した例では、ディスプレイ総数が６台で、常時点灯ディスプレイ２０Ｊの数が「１」の場合を示している。図７（ａ）は、負荷が軽い場合、つまり消費電力が少ない場合の例であり、６台のディスプレイ２０ａ〜２０ｆに画像が表示されている。
【００７１】
図７（ｂ）は、負荷が中ぐらいの場合、つまり消費電力の大きさが中ぐらい場合の例であり、３台のディスプレイ２０ａ，２０ｃ，２０ｅに画像が表示され、残りの３台のディスプレイ２０ｂ，２０ｄ，２０ｆには画像が表示されていない。図７（ｃ）は、負荷が重い場合、つまり消費電力が大きい場合の例であり、１台のディスプレイ２０にのみ画像が表示され、残りの５台のディスプレイ２０ｂ〜２０ｆには画像が表示されていない。
【００７２】
図８は、制御用ＰＣ１０が実行する節電制御処理の処理手順を示すフローチャートである。ＰＣ制御部１３は、ディスプレイ２０に新たな画像を表示させるときに、ステップＡ１に移る。
【００７３】
ステップＡ１では、ＰＣ制御部１３は、ディスプレイ基本情報をＰＣ記憶部１６から読み込む。ディスプレイ基本情報は、ディスプレイ設置枚数、つまり設置枚数、画面内領域数、領域内構成画素数、常時点灯枚数、つまり例外点灯枚数、および常時点灯ディスプレイ番号、つまり例外点灯ディスプレイ番号を含む。ＰＣ制御部１３は、設置枚数を設置枚数記憶部１６１から読み込む。ＰＣ制御部１３は、画面内領域数を画面内領域数記憶部１６２から読み込む。ＰＣ制御部１３は、領域内構成画素数を領域内構成画素数記憶部１６３から読み込む。ＰＣ制御部１３は、例外点灯枚数を例外点灯枚数記憶部１６４から読み込む。ＰＣ制御部１３は、例外点灯ディスプレイ番号を例外点灯ディスプレイ番号記憶部１６５から読み込む。
【００７４】
ステップＡ２では、ＰＣ制御部１３は、表示画像を表示画像ＰＣ記憶部１６６から読み込む。ステップＡ３では、ＰＣ制御部１３は、代表ディスプレイ２０Ａに画像ディスプレイ上画素点灯マップ（以下「マップ」ともいう）の作成リクエストを、ＰＣ通信制御部１４によって代表ディスプレイ２０Ａに送信する。ステップＡ４では、ＰＣ制御部１３は、マップ作成用に、表示用画像を、ＰＣ通信制御部１４によって代表ディスプレイ２０Ａに送信する。具体的には、ＰＣ制御部１３は、表示画像ＰＣ記憶部１６６から読み込んだ表示画像を、表示用画像として、ＰＣ通信制御部１４によって代表ディスプレイ２０Ａに送信する。
【００７５】
ステップＡ５では、ＰＣ制御部１３は、マップを受信したが否かを判定する。ＰＣ制御部１３は、ＰＣ通信制御部１４が代表ディスプレイ２０Ａからマップを受信すると、マップを受信したと判定し、ステップＡ６に進み、ＰＣ通信制御部１４が代表ディスプレイ２０Ａからマップを受信しないと、マップを受信しなかったと判定し、ステップＡ５に戻る。
【００７６】
ステップＡ６では、ＰＣ制御部１３は、１つの領域について領域内点灯比率を計算する。ステップＡ７では、ＰＣ制御部１３は、全領域について領域内点灯比率の計算が完了したか否かを判定する。ＰＣ制御部１３は、全領域について領域内点灯比率の計算が完了したとき、ステップＡ８に進み、全領域について領域内点灯比率の計算が完了しなかったとき、ステップＡ１７に進む。
【００７７】
ステップＡ８では、ＰＣ制御部１３は、画面点灯率を計算する。ステップＡ９では、ＰＣ制御部１３は、総点灯率を計算する。ステップＡ１０では、ＰＣ制御部１３は、表示画像を常時点灯ディスプレイ２０Ｊに送信する。具体的には、ＰＣ制御部１３は、表示画像ＰＣ記憶部１６６から読み込んだ表示画像を、ＰＣ通信制御部１４によって常時点灯ディスプレイ２０Ｊに送信する。
【００７８】
ステップＡ１１では、ＰＣ制御部１３は、「設置ディスプレイ枚数×総点灯率−常時点灯設定」が「１」以上であるか否かを判定する。設置ディスプレイ枚数は、設置枚数記憶部１６１から読み込んだ設置枚数のことである。常時点灯設定は、例外点灯枚数記憶部１６４から読み込んだ例外点灯枚数のことである。ＰＣ制御部１３は、「設置ディスプレイ枚数×総点灯率−常時点灯設定」が「１」以上であるとき、ステップＡ１２に進み、「設置ディスプレイ枚数×総点灯率−常時点灯設定」が「１」未満であるとき、節電制御処理を終了する。
【００７９】
ステップＡ１２では、ＰＣ制御部１３は、点灯ディスプレイ番号を選択する。具体的には、ＰＣ制御部１３は、「設置ディスプレイ枚数×総点灯率−常時点灯設定」の値の小数点以下を切り捨てた値を選択ディスプレイ数とする。そして、ＰＣ制御部１３は、随時点灯ディスプレイ２０Ｋのディスプレイ番号の中から、選択ディスプレイ数のディスプレイ番号を、乱数を用いて、ランダムに選択する。
【００８０】
ステップＡ１３では、ＰＣ制御部１３は、選択したディスプレイ番号のディスプレイ２０に、表示画像ＰＣ記憶部１６６から読み込んだ表示画像を、ＰＣ通信制御部１４によって送信する。ステップＡ１４では、ＰＣ制御部１３は、選択したディスプレイ番号の全ディスプレイ２０に、表示画像を送信完了したか否かを判定する。ＰＣ制御部１３は、選択したディスプレイ番号の全ディスプレイ２０への表示画像の送信を完了したとき、ステップＡ１５に進み、選択したディスプレイ番号の全ディスプレイ２０への表示画像の送信を完了しなかったとき、ステップＡ１２に戻る。
【００８１】
ステップＡ１５では、ＰＣ制御部１３は、対象の１台のディスプレイ２０に点灯リクエストまたは消灯リクエストを送信する。送信対象のディスプレイ装置が、常時点灯ディスプレイ２０ＪまたはステップＡ１２で選択されたディスプレイ２０の場合は、点灯リクエストを送信し、送信対象のディスプレイ装置が、常時点灯ディスプレイ２０ＪまたはステップＡ１２で選択されたディスプレイ２０を除く残余のディスプレイ２０の場合は、消灯リクエストを送信する。
【００８２】
ステップＡ１６では、ＰＣ制御部１３は、全ディスプレイ２０に点灯リクエストまたは消灯リクエストを送信完了したか否かを判定する。ＰＣ制御部１３は、設置枚数記憶部１６１に記憶される設置枚数の全ディスプレイ２０に点灯リクエストまたは消灯リクエストを送信完了したとき、節電制御処理を終了し、設置枚数記憶部１６１に記憶される設置枚数の全ディスプレイ２０に点灯リクエストまたは消灯リクエストを送信完了しなかったとき、たとえば次のディスプレイ番号のディスプレイ２０を対象のディスプレイ２０として、ステップＡ１５に戻る。
【００８３】
ステップＡ１７では、ＰＣ制御部１３は、領域内点灯比率を計算する領域を、次の領域に進めて、ステップＡ６に戻る。たとえば、ステップＡ６で、最初に領域内点灯比率を計算した領域が領域Ａである場合、領域内点灯比率を計算する領域を、次の領域Ｂとして、ステップＡ６に戻り、以後、ステップＡ１７にくるごとに、順次領域Ｃ、領域Ｄ、・・・と進める。
【００８４】
ステップＡ３〜Ａ９，Ａ１７は、算出ステップである。ステップＡ１１は、決定ステップである。ステップＡ１０，Ａ１２〜Ａ１６は、表示ステップである。
【００８５】
図９は、代表ディスプレイ２０Ａが実行する初期処理の処理手順を示すフローチャートである。図９に示した初期処理の処理手順を示すフローチャートは、代表ディスプレイ２０Ａのディスプレイ制御部２４によって実行される。代表ディスプレイ２０Ａのディスプレイ制御部２４は、代表ディスプレイ２０Ａの電源が投入され、動作可能状態になるとステップＢ１に移る。
【００８６】
ステップＢ１では、ディスプレイ制御部２４は、画像ディスプレイ上画素点灯マップの作成リクエストを受信したか否かを判定する。ディスプレイ制御部２４は、制御用ＰＣ１０から、画像ディスプレイ上画素点灯マップの作成リクエストを、ディスプレイ通信制御部２５によって受信したとき、ステップＢ２に進み、制御用ＰＣ１０から、画像ディスプレイ上画素点灯マップの作成リクエストを、ディスプレイ通信制御部２５によって受信しなかったとき、ステップＢ１に戻る。
【００８７】
ステップＢ２では、ディスプレイ制御部２４は、マップ作成用画像、つまり図８に示したフローチャートのステップＡ４で送信された表示画像を受信したか否かを判定する。ディスプレイ制御部２４は、マップ作成用画像を、ディスプレイ通信制御部２５によって受信したとき、ステップＢ３に進み、マップ作成用画像を、ディスプレイ通信制御部２５によって受信しなかったとき、ステップＢ２に戻る。
【００８８】
ステップＢ３では、ディスプレイ制御部２４は、受信したマップ作成用画像（図では「画像」という）を、スケーラ１７４で、画面サイズに合わせる。すなわち、ディスプレイ制御部２４は、受信したマップ作成用画像を、スケーラ１７４によって、画面サイズに合わせて、拡大または縮小する。
【００８９】
ステップＢ４では、ディスプレイ制御部２４は、画面サイズに合わせたマップ作成用画像を、ディスプレイ２０上に表示し、ＴＦＴへの印加状態をマップとして記録する。具体的には、ディスプレイ制御部２４は、画面サイズに合わせたマップ作成用画像を、ディスプレイ表示制御部２２によってディスプレイ表示部２１の画面上に表示し、ディスプレイ表示制御部２２によってディスプレイ表示部２１から印加状態情報を取得し、取得した印加状態情報が示す印加状態に基づいて、画像ディスプレイ上画素点灯マップを生成し、生成した画像ディスプレイ上画素点灯マップを、画像ディスプレイ上画素点灯マップＰＣ記憶部１６７に記憶する。ディスプレイ２０がＰＤＰによって構成される場合は、印加状態の代わりに、各セルの放電状態を用いる。
【００９０】
ステップＢ５では、ディスプレイ制御部２４は、画像ディスプレイ上画素点灯マップを、ディスプレイ通信制御部２５によって制御用ＰＣ１０に送信して、初期処理を終了する。ディスプレイ制御部２４は、初期処理を終了した後、代表ディスプレイ２０Ａが常時点灯ディスプレイ２０Ｊの場合、図１０に示すステップＣ１に移り、代表ディスプレイ２０Ａが図９に示した節電制御処理の処理手順のフローチャートのステップＡ１２で選択された随時点灯ディスプレイ２０Ｋの場合、図１１に示すステップＤ１に移る。
【００９１】
図１０は、常時点灯ディスプレイ２０Ｊが実行する常時点灯表示処理の処理手順を示すフローチャートである。図１１示したフローチャートは、常時点灯ディスプレイ２０Ｊのディスプレイ制御部２４によって実行される。代表ディスプレイ２０Ａでない常時点灯ディスプレイ２０Ｊのディスプレイ制御部２４は、該常時点灯ディスプレイ２０Ｊの電源が投入され、動作可能状態になるとステップＣ１に移る。
【００９２】
ステップＣ１では、ディスプレイ制御部２４は、表示画像を受信したか否かを判定する。ディスプレイ制御部２４は、図８のステップＡ１３で制御用ＰＣ１０が送信した表示画像を、ディスプレイ通信制御部２５が受信したとき、ステップＣ２に進み、図８のステップＡ１３で制御用ＰＣ１０が送信した表示画像を、ディスプレイ通信制御部２５が受信しなかったとき、ステップＣ１に戻る。
【００９３】
ステップＣ２では、ディスプレイ制御部２４は、画面表示をクリアする。すなわち、ディスプレイ制御部２４は、現在表示している表示画像の表示を停止する。表示画像の表示の停止は、たとえば、それまで表示していた画像の表示を止めて、代わりに、予め定める無表示を表す画像、たとえば白色、灰色、もしくは黒色などのモノトーンの画像を表示することである。ステップＣ３では、ディスプレイ制御部２４は、ステップＣ１で受信した表示画像を、ディスプレイ表示制御部２２によってディスプレイ表示部２１に表示して、ステップＣ１に戻る。
【００９４】
図１１は、随時点灯ディスプレイ２０Ｋが実行する随時点灯表示処理の処理手順を示すフローチャートである。図１１示したフローチャートは、図９に示した節電制御処理の処理手順のフローチャートのステップＡ１２で選択された随時点灯ディスプレイ２０Ｋのディスプレイ制御部２４によって実行される。代表ディスプレイ２０Ａでない、選択された随時点灯ディスプレイ２０Ｋは、該随時点灯ディスプレイ２０Ｋの電源が投入され、動作可能状態になるとステップＤ１に移る。
【００９５】
ステップＤ１では、ディスプレイ制御部２４は、表示画像を受信したか否かを判定する。ディスプレイ制御部２４は、図８のステップＡ１３で制御用ＰＣ１０が送信した表示画像を、ディスプレイ通信制御部２５が受信したとき、ステップＤ２に進み、図８のステップＡ１３で制御用ＰＣ１０が送信した表示画像を、ディスプレイ通信制御部２５が受信しなかったとき、ステップＤ１に戻る。
【００９６】
ステップＤ２では、ディスプレイ制御部２４は、点灯リクエストまたは消灯リクエストを受信したか否かを判定する。ディスプレイ制御部２４は、制御用ＰＣ１０から、ディスプレイ通信制御部２５が、点灯リクエストまたは消灯リクエストを受信したとき、ステップＣ３に進み、点灯リクエストまたは消灯リクエストを受信しなかったとき、ステップＣ２に戻る。
【００９７】
ステップＤ３では、ディスプレイ制御部２４は、点灯リクエストであるか否かを判定する。ディスプレイ制御部２４は、ステップＤ２で点灯リクエストを受信したとき、ステップＤ４に進み、ステップＤ２で消灯リクエストを受信したとき、ステップＤ７に進む。
【００９８】
ステップＤ４では、ディスプレイ制御部２４は、ディスプレイ表示制御部２２によって、ディスプレイ表示部２１のバックライトを点灯する。ディスプレイ制御部２４は、ディスプレイ２０がＬＣＤの代わりに、ＰＤＰによって構成される場合は、セル内での放電を実施することによって画面の点灯を行い、また、ディスプレイ２０がＬＣＤの代わりに、アクティブマトリクス駆動の有機Ｅｌの場合は、画面上のＴＦＴへの通電を実施することによって画面の点灯を行う。
【００９９】
ステップＤ５では、ディスプレイ制御部２４は、画面表示をクリアする。ステップＤ６では、ディスプレイ制御部２４は、ステップＤ１で受信した表示画像を、ディスプレイ表示制御部２２によってディスプレイ表示部２１に表示して、ステップＤ１に戻る。
【０１００】
ステップＤ７では、ディスプレイ制御部２４は、ディスプレイ表示制御部２２によって、ディスプレイ表示部２１のバックライトを消灯して、ステップＤ１に戻る。ディスプレイ制御部２４は、ディスプレイ２０がＬＣＤの代わりに、ＰＤＰによって構成される場合は、セル内での放電を停止することによって画面の消灯を行い、また、ディスプレイ２０がＬＣＤの代わりに、アクティブマトリクス駆動の有機ＥＬの場合は、画面上のＴＦＴへの通電を停止することによって画面の消灯を行う。
【０１０１】
上述した本実施形態では、制御用ＰＣ１０は、マップの作成を代表ディスプレイ２０Ａに行わせているが、代表ディスプレイ２０Ａに限定されるものではなく、代表ディスプレイ２０Ａを定めることなく、すべてのディスプレイ２０の中からランダムに選択したディスプレイにマップの作成を行わせてもよい。
【０１０２】
また、上述した本実施形態では、制御用ＰＣ１０は、画素を駆動する消費電力に応じて、画像を表示するディスプレイ２０の台数を制御しているが、画素を駆動する消費電力に限定されるものではなく、画素を駆動する消費電力を、ＬＥＤバックライトを駆動する消費電力に置き換えることも可能であり、また、画素の駆動とＬＥＤバックライトの駆動との両方の消費電力の加算であってもよい。
【０１０３】
このように、複数のディスプレイ２０は、画像を画面に表示する。そして、制御用ＰＣ１０は、すべてのディスプレイ２０に同一の画像を表示させたときにすべてのディスプレイ２０で消費されると予想される予想消費電力を算出し、算出した予想消費電力に応じて、前記同一の画像を表示させるディスプレイ２０の数を決定し、決定した数のディスプレイ２０に前記同一の画像を送信して表示させる。したがって、表示システム１は、予想消費電力に応じて、画像を表示するディスプレイ２０の数を減少させて節電することができる。したがって、表示システム１は、広告などの画像を表示する場合、節電しながら最大限の広告効果を発揮することができる。
【０１０４】
さらに、複数のディスプレイ２０は、前記予想消費電力とは関係なく前記同一の画像を送信して表示させる予め定める数のディスプレイ２０を含む。そして、制御用ＰＣ１０は、前記予め定める数のディスプレイ２０を前記同一の画像を表示させるディスプレイ２０の決定した数に含める。したがって、表示システム１は、予想消費電力が増加しても、少なくとも予め定める数のディスプレイ２０に画像を表示するので、画像が表示されなくなることを回避することができる。
【０１０５】
さらに、複数のディスプレイ２０は、それぞれの画面がすべて同一の方向に向けられ、画面に対して垂直方向に予め定める範囲内に設置され、前記予め定める数のディスプレイ２０は、最も前に設置されているすべてのディスプレイ２０を含む。したがって、表示システム１は、視聴者の注意を引きやすい前側のディスプレイ２０に画像を表示する状態を維持ことができ、広告などの画像を表示する場合、広告効果の減少を最小限に抑えることができる。
【０１０６】
さらに、前記予め定める数のディスプレイ２０は、複数のディスプレイ２０のうち、複数のディスプレイ２０を外囲する周辺上に設置されているすべてのディスプレイ２０を含む。したがって、表示システム１は、視聴者の注意を引きやすい周縁のディスプレイ２０に画像を表示する状態を維持ことができ、広告などの画像を表示する場合、広告効果の減少を最小限に抑えることができる。
【０１０７】
さらに、制御用ＰＣ１０は、前記決定された数のディスプレイ２０を、複数のディスプレイ２０から、乱数を用いて選択する。したがって、表示システム１は、画像を表示するディスプレイ２０が特定のディスプレイ２０に偏ることをなくし、各ディスプレイ２０の製品寿命を平均化することができる。
【０１０８】
さらに、制御用ＰＣ１０は、複数のディスプレイ２０のうちの予め定める１台の代表ディスプレイ２０Ａに、前記同一の画像を送信して表示させ、代表ディスプレイ２０Ａが前記同一の画像を表示しているときに消費している消費電力を表す画像ディスプレイ上画素点灯マップを代表ディスプレイ２０Ａから受信し、受信した画像ディスプレイ上画素点灯マップに基づいて、前記予想消費電力を算出する。したがって、表示システム１は、１台の代表ディスプレイ２０Ａでの実測に基づいて予想消費電力を算出することができ、予想消費電力が大きいか否かを正確に判断することができる。
【０１０９】
さらに、各ディスプレイ２０の画面は、複数の画素を含む。そして、画像ディスプレイ上画素点灯マップは、前記同一の画像を代表ディスプレイ２０Ａに表示させているときに、代表ディスプレイ２０Ａの画面に含まれる複数の画素のうち駆動されている画素を表す情報である。したがって、表示システム１は、駆動されている画素の数を集計するだけで、予想消費電力を算出することができ、予想消費電力の算出を簡単に行うことができる。
【０１１０】
さらに、画像を画面に表示する複数のディスプレイ２０と、該複数のディスプレイ２０に同一の画像を送信して表示させる制御用ＰＣ１０とを含む表示システム１で画像を表示するにあたって、図８に示したフローチャートにおいて、ステップＡ３〜Ａ９，Ａ１７では、すべてのディスプレイ２０に同一の画像を表示させたときにすべてのディスプレイ２０で消費されると予想される予想消費電力を算出する。ステップＡ１１では、ステップＡ３〜Ａ９，Ａ１７で算出された予想消費電力に応じて、前記同一の画像を表示させるディスプレイ２０の数を決定する。そして、ステップＡ１０，Ａ１２〜Ａ１６では、ステップＡ１１で決定された数のディスプレイ２０に前記同一の画像を送信して表示させる。したがって、表示システム１は、予想消費電力に応じて、画像を表示するディスプレイ２０の数を減少させて節電することができる。したがって、表示システム１は、広告などの画像を表示する場合、節電しながら最大限の広告効果を発揮することができる。
【符号の説明】
【０１１１】
１  表示システム
２  ネットワーク
１０  制御用ＰＣ
１１  ＰＣ表示部
１２  ＰＣ入力部
１３  ＰＣ制御部
１４  ＰＣ通信制御部
１５  ＰＣ通信Ｉ／Ｆ部
１６  ＰＣ記憶部
２０  ディスプレイ
２０Ａ  代表ディスプレイ
２０Ｊ  常時点灯ディスプレイ
２０Ｋ  随時点灯ディスプレイ
２１  ディスプレイ表示部
２２  ディスプレイ表示制御部
２３  ディスプレイ入力部
２４  ディスプレイ制御部
２５  ディスプレイ通信制御部
２６  ディスプレイ通信Ｉ／Ｆ部
２７  ディスプレイ記憶部
１６１  設置枚数記憶部
１６２  画面内領域数記憶部
１６３  領域内構成画素数記憶部
１６４  例外点灯枚数記憶部
１６５  例外点灯ディスプレイ番号記憶部
１６６  表示画像ＰＣ記憶部
１６７  画像ディスプレイ上画素点灯マップＰＣ記憶部
１７１  画像ディスプレイ上画素点灯マップディスプレイ記憶部
１７２  ＴＦＴ印加状態記憶部
１７３  表示画像ディスプレイ記憶部
１７４  スケーラ
【図１】
2013044816.tif 000003
【図２】
2013044816.tif 000004
【図３】
2013044816.tif 000005
【図４】
2013044816.tif 000006
【図５】
2013044816.tif 000007
【図６】
2013044816.tif 000008
【図７】
2013044816.tif 000009
【図８】
2013044816.tif 000010
【図９】
2013044816.tif 000011
【図１０】
2013044816.tif 000012
【図１１】
2013044816.tif 000013